(57)【特許請求の範囲】
【請求項１】
複数の巻取スロットと、複数の分離スロットと、巻線とを含むボビンアセンブリであって、
−  前記複数の巻取スロットのそれぞれが、１つの層あたりひと巻きのみの複数の巻線の輪を含み、
−  前記複数の分離スロットのそれぞれが、単一の前記巻線の輪を含み、
前記分離スロットのそれぞれが、前記複数の巻取スロットのうち少なくとも１つの巻取スロットに隣接し、さらに、前記巻取スロットのそれぞれが、前記複数の分離スロットのうち少なくとも１つの分離スロットに隣接し、
前記複数の巻取スロットのうちそれぞれの巻取スロット、及び、前記複数の分離スロットのうちそれぞれの分離スロットが、ビルディングブロックによって形成される、ボビンアセンブリ。
【請求項２】
前記複数の巻取スロットのうちそれぞれの巻取スロット、及び、前記複数の分離スロットのうちそれぞれの分離スロットが、前記巻線として二次巻線を受けるように構成される、請求項１に記載のボビンアセンブリ。
【請求項３】
前記ビルディングブロックのうちそれぞれのビルディングブロックが、第１の連結モジュール及び第２の連結モジュールを含み、さらに、前記第１の連結モジュール及び前記第２の連結モジュールは、隣接するビルディングブロックと結合するように構成される、請求項１に記載のボビンアセンブリ。
【請求項４】
前記第１の連結モジュールは内側のねじ山であり、さらに、前記第２の連結モジュールは外側のねじ山である、請求項３に記載のボビンアセンブリ。
【請求項５】
前記ビルディングブロックのうちそれぞれのビルディングブロックが、前記巻線を通過させるように構成された開口部を含む、請求項３乃至４のいずれか一項に記載のボビンアセンブリ。
【請求項６】
前記ビルディングブロックのうちそれぞれのビルディングブロックが、実質的に円板状である、請求項１乃至５のいずれか一項に記載のボビンアセンブリ。
【請求項７】
前記ビルディングブロックのうちそれぞれのビルディングブロックが、円板部分及び管部分を含む、請求項１乃至６のいずれか一項に記載のボビンアセンブリ。
【請求項８】
１ｋＶまでの、好ましくは１０ｋＶまでの、特に好ましくは８０ｋＶまでの電圧で作動させられるように構成される、請求項１乃至７のいずれか一項に記載のボビンアセンブリ。
【請求項９】
一次巻線のボビンアセンブリをさらに含む、二次巻線のボビンアセンブリである請求項１乃至８のいずれか一項に記載のボビンアセンブリを含む変圧器であって、上昇巻数比が、１よりも大きい、好ましくは４よりも大きい、特に好ましくは、１０よりも大きい、変圧器。
【請求項１０】
請求項１乃至８のいずれか一項に記載のボビンアセンブリを含む、少なくとも１つのコイルを含む誘導電気要素。
【請求項１１】
請求項９に記載の変圧器を少なくとも１つ含む、又は、請求項１０に記載の誘導電気要素を少なくとも１つ含む、医用イメージングシステム。
【発明の詳細な説明】
【技術分野】
【０００１】
本発明は、コイルのためのボビンの分野に関する。特に、本発明は、ボビンアセンブリ、及び、ボビンアセンブリを生成する方法に関する。
【背景技術】
【０００２】
高電圧発生のための変圧器は、変圧器の二次側のポートの末端間の電圧差を意味する数十キロボルトの範囲の電圧をもたらす。内部で、この電圧差は、二次巻線における巻き全てにわたって等しく分布されるため、電圧は、ワイヤに沿って累進的に蓄積される。典型的に、二次側のボビンは、例えば１ｍｍの幅を有する、長くて薄い壁を有した多くのスロットを含む。
【０００３】
特許文献１は、機械的に結合可能なボビンを有した誘導コイルを記載している。そこに記載されている誘導コイルは、ボビンの端面フランジのうちの１つから突き出た２つの軸上の突起を有する、及び、該フランジのうちもう一方の外側表面に形成された２つのくぼみを有するボビンの胴部の上に絶縁電線の主巻線を含む。
【０００４】
特許文献２は、変圧器及びその巻線ユニットを記載している。そこに記載されている変圧器は、強磁性のコアユニット；強磁性のコアユニットと結合したボビン；一次巻線として、少なくとも巻取ユニット、及び、二次巻線として、少なくともプレート；を含む。また、巻取ユニットの一部が二次巻線として作用することができる。少なくとも巻取ユニット及び少なくともプレートは、千鳥状の様式で二者択一的に積み重ねられる。導線が、巻取ユニットの周りに巻き付けられる。
【０００５】
特許文献３は、ボビン構造体及びボビン構造体を有する変圧器を記載している。そこに記載されているボビン構造体は、互いに接続された複数のモジュールのボビン部材を含む。各モジュールのボビン部材は、貫通チャンネル、貫通チャンネルの１つの末端に配置され且つ貫通チャンネルに対して垂直に置かれた第１のバッフル、及び、貫通チャンネルのもう一方の末端に配置され且つ第１のバッフルと向かい合って置かれた第２のバッフルを含む。
【０００６】
特許文献４は、コイルによって巻かれる内側のボビンの外側の周囲表面を覆う外側のボビンの数、及び、外側のボビンの周りの他のコイルを巻くことにより出力端子の数を増やすことによって、１つの変圧器を用いて複数のランプを駆動させることができる変圧器を記載している。
【先行技術文献】
【特許文献】
【０００７】
【特許文献１】ＵＳ４  ４６２  ０１６  Ａ１
【特許文献２】ＵＳ２００８／０２８４５５１  Ａ１
【特許文献３】ＵＳ２０１１／０１１５５９８  Ａ１
【特許文献４】ＵＳ２０１０／０２１４０４９  Ａ１
【発明の概要】
【発明が解決しようとする課題】
【０００８】
コイルのためのボビンを改善する必要があり得る。これらの必要性は、独立請求項の発明特定事項によって応じられる。さらなる例証的な実施形態が、従属請求項及び以下の記載から明らかである。
【課題を解決するための手段】
【０００９】
本発明の第１の態様は、複数の巻取スロットであり、それぞれが、１つの層あたりひと巻きの多数の巻線の輪を有した巻線を含む、巻取スロットと、複数の分離スロットであり、それぞれが、単一の巻線の輪を含む、分離スロットとを含むボビンアセンブリであって、分離スロットのそれぞれが、複数の巻取スロットのうち少なくとも１つに隣接し、さらに、巻取スロットのそれぞれが、複数の分離スロットのうち少なくとも１つに隣接している、ボビンアセンブリに関する。
【００１０】
言い換えると、分離スロットは、通常、単一の巻線の輪を含んでもよい。
【００１１】
本発明のさらなる第２の態様は、本発明の第１の態様による、又は、本発明の第１の態様のいかなる実行様式による少なくとも１つのボビンアセンブリを含む誘導電気要素に関する。
【００１２】
本発明のさらなる第３の態様は、本発明の第２の態様による、又は、本発明の第２の態様のいかなる実行様式による少なくとも１つの誘導電気要素を含む医用イメージングシステムに関する。
【００１３】
本発明のさらなる第４の態様は、ボビンアセンブリを生成する方法であって：第１の開口部を含む第１のビルディングブロックを提供し、さらに、第１の開口部を通して第１のビルディングブロック内にワイヤを導くステップ；第１の開口部よりも大きい第２の開口部を含む第２のビルディングブロックを提供し、さらに、第２の開口部を通して第２のビルディングブロック内にワイヤを導くステップ；並びに、第１及び第２のビルディングブロックを使用して、ボビンアセンブリを組み立てるステップであり、ボビンアセンブリは：複数の巻取スロットであり、それぞれが、１つの層あたりひと巻きの多数の巻線の輪を有した巻線を含む、巻取スロット；及び、複数の分離スロットであり、それぞれが、単一の巻線の輪を含む、分離スロット；を含む、ステップ；を含む方法に関する。
【００１４】
本発明は、有利に、いかなる所与のスロットにおいても１つの層あたりひと巻きのみを有する巻線を提案している。それぞれの巻きは、そのすぐ隣において１つ又は２つのみの他の巻きを有することになる。
【００１５】
本発明は、有利に、多数の狭いスロットを含む、二次巻線のためのボビンを提供する。本発明は、有利に、隣接する巻き間の電圧が最小の可能な値を有することになるということを可能にする。本発明は、有利に、静電容量が最小限にされ、さらに、フラッシュオーバーの危険性も最小限にされるということを可能にする。
【００１６】
本発明は、有利に、減少した数の誤り及び偏差が巻き取り構成の製造の間に発生し得るということを可能にし、さらに、その間により大きな電圧を有した巻きを互いに隣に置くことはできない。
【００１７】
本発明は、有利に、高周波数にて作動する高電圧変圧器は、認められたコアの誘導に順応するために多くの巻きを必要としないということを可能にし、いくつかの巻きのみある場合でさえも、層間の電圧は非常に高くなるということを意味している。
【００１８】
本発明は、有利に、巻き取り工程が１つのスロットから次のスロットまで進む、すなわち、巻きですでに満たされたスロットには戻らない場合に、間違った巻き取りが巻き取り構成において発生し得ることはなく、さらに、その間により大きな電圧を有した巻きを互いに隣に置くことはできないということを定める。
【００１９】
本発明によって使用される場合「隣接する（隣接している）」という用語は、例えば、第１のビルディングブロックが第２のビルディングブロックの隣に配置され、さらに、第１のビルディングブロックを、第２のビルディングブロックに結合することができる構成を意味してもよい。
【００２０】
本発明の例証的な実施形態によると、複数の巻取スロットのうちそれぞれの巻取スロット、及び、複数の分離スロットのうちそれぞれの分離スロットが、巻線として二次巻線を受けるように構成される。
【００２１】
これは、有利に、発生している電圧差を、隣接する巻線のワイヤ間の減少した電圧差に制限する。
【００２２】
本発明の例証的な実施形態によると、複数の巻取スロットのうちそれぞれの巻取スロット、及び、複数の分離スロットのうちそれぞれの分離スロットは、ビルディングブロックによって形成される。これは、有利に、例えばシステムの要素を分離し且つ再度組み合わせることができる程の高度なモジュール性等、改善されたモジュールの構築を提供することを可能にする。
【００２３】
本発明の例証的な実施形態によると、ビルディングブロックのうちそれぞれが、第１の連結モジュール及び第２の連結モジュールを含み、さらに、第１の連結モジュール及び第２の連結モジュールは、隣接するビルディングブロックと結合するように構成される。これは、有利に、ボビンアセンブリを作製するためのモジュールのアプローチを可能にしている。
【００２４】
本発明の例証的な実施形態によると、第１の連結モジュールは内側のねじ山であり、さらに、第２の連結モジュールは外側のねじ山である。
【００２５】
これは、有利に、機械的に安定した隣接するビルディングブロックの結合を可能にしている。
【００２６】
本発明の例証的な実施形態によると、ビルディングブロックのうちそれぞれが、巻線を通過させるように構成された開口部を含む。これは、有利に、確実且つ安全な巻き取り工程を可能にしている。
【００２７】
本発明の例証的な実施形態によると、ビルディングブロックのうちそれぞれが、実質的に円板状である。これは、有利に、ボビンアセンブリから作製されるコイルの効率を高めることを可能にしている。
【００２８】
本発明によって使用される場合「実質的に円板状」という用語は、半径が厚さよりも、例えば５倍等、何倍も大きい、例えば回転体又は円板、円筒等、円形を有した物体を意味してもよい。
【００２９】
本発明の例証的な実施形態によると、ビルディングブロックのうちそれぞれが、円板部分及び管部分を含む。これは、有利に、所望の巻線層の幅に従って管部分の長さを調整することによって、厚い巻線層を蓄積することを可能にしている。
【００３０】
本発明の例証的な実施形態によると、ボビンアセンブリは、１ｋＶまでの、好ましくは１０ｋＶまでの、特に好ましくは８０ｋＶまでの電圧で作動させられるように構成される。これは、有利に、Ｘ線発生装置の一部である高電圧カスケードに交流電圧を供給することを可能にしている。高電圧カスケードは、交流電圧を増幅、整流及びなめらかにしてもよく、さらに、結果として生じる直流電圧をＸ線管に供給してもよい。
【００３１】
本発明のさらなる第５の態様は、一次巻線のボビンアセンブリをさらに含む、二次巻線のボビンアセンブリである本発明の第１の態様によるボビンアセンブリを含む変圧器に関し、上昇巻数比は、１よりも大きい、好ましくは４よりも大きい、特に好ましくは、１０よりも大きい。これは、有利に、高電圧発生装置の効率を改善することを可能にしている。
【００３２】
本発明のより完全な正しい理解及びその付随の利点が、原寸に比例していない以下の概略図を参照することによってより明らかに理解されることになる。
【図面の簡単な説明】
【００３３】
【図１】本発明の例証的な実施形態による２つのビルディングブロックの概略図である。
【図２】モジュールのセパレータを有した例証的な実施形態によるボビンアセンブリの概略図である。
【図３】本発明の例証的な実施形態によるモジュールのセパレータの概略図である。
【図４】本発明の例証的な実施形態によるボビンアセンブリの概略図である。
【図５】ボビンアセンブリの概略図である。
【図６】本発明の例証的な実施形態によるボビンアセンブリを生成する方法の流れ図を示した概略図である。
【図７】本発明の例証的な実施形態による医用イメージングシステムの概略図である。
【発明を実施するための形態】
【００３４】
図面における例示は、単に概略的であり、スケーリング関係又はサイズ情報を提供するとして意図しない。異なる図面において、類似又は同じ要素には、同じ参照番号が提供される。概して、同じ部分、ユニット、実在物又はステップには、説明において同じ参照記号が提供される。
【００３５】
図１は、本発明の例証的な実施形態によるモジュールのビルディングブロックの概略図を示している。
【００３６】
ビルディングブロック１００は、円板部分１００−１及び管部分１００−２を含んでもよい。さらに、ビルディングブロック１００は、第１の連結モジュール１００−３及び第２の連結モジュール１００−４を含んでもよい。
【００３７】
第１の連結モジュール１００−３は、円板状のビルディングブロックの場合の内側のねじ山として構築されてもよい。第２の連結モジュール１００−４は、円板状のビルディングブロック１００の場合の外側のねじ山の形で構築されてもよい。ビルディングブロックは、巻線をそこに通過させるように構成される開口部１００−５をさらに含んでもよい。
【００３８】
図１において、右側には、第２のタイプのビルディングブロックが示されており、図１の左側に示された第１のタイプのビルディングブロック１００とは対照的に、開口部１００−５の代わりに異なる開口部１００−６を含む。
【００３９】
第２の種類の開口部１００−６は、第１のタイプの開口部１００−５と比較してより大きい。言い換えると、図１において示されている２つの円板又はビルディングブロック１００のうち、１つの円板が、外径にて小さい開口部１００−５を有して、完全に巻かれたスロットからの巻線ワイヤに対する出口を具体化している。例えば第２のタイプ等、他のタイプは、前の巻取チャンバからのワイヤに対する入口として長いスロットの開口部を有し、新しいチャンバを満たし始めている。
【００４０】
本発明の例証的な実施形態によると、ねじ山は、ボビンアセンブリの回転対称の軸に関して小さい及び長い開口部を１８０°シフトことができるように、いかなる位置の変化もなく円板をロックする。
【００４１】
本発明の例証的な実施形態によると、ビルディングブロック１００は、一次ボビン及びコアが内側の空間において収容され得るように空洞であってもよい。ビルディングブロック１００は、他のモジュールの要素と連結されるように内側のねじ山を有し；管は、他のモジュールの要素に連結されるように外側のねじ山で終わっている。
【００４２】
図２は、ボビンアセンブリを示している。
【００４３】
ビルディングブロック１００、及び、後に図３において詳細に示されるモジュールのセパレータ２００を使用することによって、ボビンアセンブリを図２において示されているように構築することができる。ボビンは、下に大きな開口部を有したビルディングブロック１００の形のモジュールの円板から始まっている。モジュールのセパレータ２００の形のセパレータが、十分なスロット幅を提供して全ての巻きを収容するために使用される。次に、ビルディングブロック１００の形の別のモジュールの円板が使用され、これは、小さい開口部を上に有しており、開口部は下の大きい開口部よりも小さくあってもよいために小さい。次に、モジュールのセパレータ２００が続き、ビルディングブロック１００とモジュールのセパレータ２００との対が、要求される限り何度も繰り返される。
【００４４】
本発明の例証的な実施形態によると、巻かれたスロット間のギャップが、絶縁性を提供している。モジュールの終わりの円板３００の形の終わりの円板を、２つの内側のねじ山を含んでもよく且つ開口部は含まなくてもよいボビンアセンブリの終わりの部分として使用してもよい。
【００４５】
本発明の例証的な実施形態において、界磁制御電極２０も使用することができる。界磁制御電極２０は、滑らかな外縁を有した金属リングの点から構築されてもよい。金属リングは、円板に連結されるように外側のねじ山も有してよい。
【００４６】
本発明の例証的な実施形態によると、ボビンアセンブリは、複数の分離スロット及び複数の巻取スロットを含んでもよく、ここで、巻取スロット及び分離スロットは、二者択一的に配置される。
【００４７】
本発明の例証的な実施形態によると、ビルディングブロック１００の形のモジュールの円板は、例えば管の部分１００−２なしで円板部分１００−１の上のねじ山だけ等、内蔵の管なしで使用されてもよい。スロットの幅は、必要に応じて狭くあり得る。
【００４８】
その中心の鉄心脚（ｌｅｇ）が（例えば四角等）丸くないコアに対しては、ねじ山は使用されることはない。ピン又はいかなる他の連結装置も、丸くないビルディングブロックに対して使用することができる（外部の留め金が必要であってもよく、又は、モジュールの要素を接着してもよい）。ねじ山の利点は、追加の機械的頑強性を提供するということである。
【００４９】
本発明の例証的な実施形態によると、同形の円板がビルディングブロック１００として使用され、ここでは、大きい開口部及び小さい開口部は、１８０°＋／−５°の回転角度によって離されており、大きい開口部及び小さい開口部は、典型的には、互いに反対側にあり、すなわち、１８０°＋／−５°又は１８０°＋／−１５°の回転角度によって離されている。
【００５０】
さらに、ねじ山の終わりは、隣接する円板の開口部が、少なくとも９０°によって離されるように構成されてもよい。隣接する円板は、例えば小さい及び大きい等、異なる開口部を有してもよく：それらの開口部のうち１つは大きい開口部を含んでもよく、さらに、もう一方は小さい開口部を有してもよい。さらに、ねじ山の代わりに、他の連結手段が使用されてもよく、この手段は、角度のあるロック特徴を有したスナップで留める手段のような、互いに対して固定された向きの部分になる。
【００５１】
ねじ山又は他の連結手段は、大きい開口部を有する円板を互いに連結する、又は、小さい開口部を有する円板を互いに連結することが実行不可能であるように形作られてもよい。これは、有利に、所望の且つ有益な大きい開口部及び小さい開口部の交互を確実にする。さらに、ビルディングブロックの連続は、以下のように輪郭が描かれてもよい。最初は大きい開口部を有する円板、次にスロットの幅を画定するセパレータ、後に小さい開口部を有する円板、次に分離スロットの幅を画定するセパレータが提供される。さらに、大きい開口部を有する円板が提供され、セパレータ等が続く。セパレータが省かれた場合には、（分離）スロットの幅は円板の大きさによって画定されてもよい。
【００５２】
図３は、本発明の例証的な実施形態によるモジュールのセパレータを示している。図３において示されているモジュールのセパレータ２００は、別のモジュールのブロックとして使用されてもよい。モジュールのセパレータ２００の形状又は構造は、ビルディングブロック１００に似ているが、円板部分１００−１はない。
【００５３】
本発明の例証的な実施形態によると、モジュールのセパレータ２００は、スロットにさらなる幅を提供して、幅が広いスロット及び狭いスロットを作るのを可能にするように構成される。モジュールのセパレータ２００は、モジュールの円板又はビルディングブロック１００の第２の連結モジュール１００−４に対応する第１の連結モジュール２００−２も含む。第１の連結モジュール２００−２は、外側のねじ山として形成されてもよい。
【００５４】
本発明の例証的な実施形態によると、ねじ山は、同じ位置にてロックすることができ、これは、セパレータがモジュールの円板の間で連結される場合でさえも、小さい開口部は依然として上側にあり、さらに、大きい開口部は下側にある。これらのセパレータは小さく、より小さい空間を要求し、さらに、製造するのが簡単であるため、スロットの幅は、特定の幅を有する（いくつかの）セパレータを使用することによって調整されるべきである。
【００５５】
モジュールのセパレータ２００は、第２の連結モジュールの点から可視ではない内側のねじ山をさらに含んでもよい。モジュールのセパレータ２００は、管部分２００−１を含んでもよい。
【００５６】
モジュールのセパレータ２００は、ビルディングブロックに結合されてもよく、さらに、ボビンアセンブリの終わりにて使用されてもよい。
【００５７】
図４は、本発明の例証的な実施形態によるボビンアセンブリの概略図を示している。
【００５８】
誘導電気要素４００が、軟磁性コア１０００−１、一次巻線１０００−２及び二次巻線のボビンアセンブリ１０００−３を含んでもよい。
【００５９】
軟磁性コア１０００−１に対しては、広範囲の高透磁率材料が使用されてもよい。高透磁率材料は強磁性であり、さらに、焼結したフェライトコア、例えばフェロシリコン、非晶質若しくはナノ結晶の材料等から作製される積層されたか若しくはストリップが巻かれた磁気コア、又は、例えばカルボニル鉄から作製される圧粉コアが、大きい渦電流を回避するために使用されてもよい。
【００６０】
一次巻線１０００−２は、巻線４０のいくつかの巻きを含む。巻線４０は、通常、リッツ線、すなわち、いくつかの単線の平行ストランド３０を有するワイヤを使用して作製される。
【００６１】
本発明の例証的な実施形態によると、二次巻線のボビンアセンブリ１０００−３は、複数の巻取スロット１０００−４及び複数の分離スロット１０００−５、並びに、巻線１０を含む。
【００６２】
本発明の例証的な実施形態によると、巻線スロット１０００−４は、１つの層あたりひと巻きの巻線１０を含んでもよい。分離スロット１０００−５は、単一の巻線１０の輪を含んでもよい。二次巻線のボビンアセンブリ１０００−３は、いかなる所与のスロットにおいても１つの層あたりひと巻きのみを有する巻線を使用して構築される。
【００６３】
本発明の例証的な実施形態によると、それぞれの巻きは、そのすぐ隣において１つ又は２つのみの他の巻きを有することになる。さらに、隣接する巻き間の電圧は、最小の可能な値を有することになる。これの結果として、静電容量は最小限にされることになり、さらに、フラッシュオーバーの危険性も最小限にされる。
【００６４】
図５は、本発明を説明するためのボビンアセンブリの概略図を示している。図５は、高電圧の変圧器２０００の設計を示している。高電圧の変圧器２０００は、軟磁性コア２０００−１、並びに、一次巻線２０００−２及び二次巻線のボビンアセンブリ２０００−３を含んでもよい。
【００６５】
二次巻線のボビンアセンブリ２０００−３の巻取スロットは、多くの巻線１０で満たされ、二次巻線のボビンアセンブリ２０００−３の分離スロットは、完全な巻線のひと巻きを保持していなくてもよい。分離スロットは、隣接するスロットにおける巻線の巻きを連結する短いワイヤの一部を保持していてもよい。通常、分離スロットにおけるワイヤの長さは、ひと巻きの半分であってもよい。これは、隣接する円板における大きい開口部と小さい開口部とを離している１８０°の回転角度に対応している。
【００６６】
二次巻線のボビンアセンブリ２０００−３は、（高さが）長くて薄い（１ｍｍ以下の幅が標準である）壁を有する多くのスロットを含んでもよい。特に絶縁目的のスロットは、スロットの幅も（約１ｍｍと）非常に小さくあり得る。
【００６７】
二次巻線のボビンアセンブリ２０００−３は、それぞれのスロット内の電圧差（従って、隣接する巻き間の電圧差）が、二次側のポートにおいてそのうちのわずかのみになるように、多数のスロットに分けられてもよい。巻取スロット間の絶縁の薄いスロットは、ボビンの表面に広まる放電を回避するのに必要であり得る。
【００６８】
本発明の例証的な実施形態によると、これらの絶縁スロットは、１つのスロットの上から次のスロットの下まで巻線ワイヤを戻すためにも使用される。絶縁スロット及びスロット壁自体の幅のため、利用可能な巻線の長さは減る。結果として、スロットの高さは増やされる必要がある。
【００６９】
高周波数にて作用する高電圧の変圧器は、認められたコアの誘導に順応するために多くの巻きを必要とせず、いくつかの巻きのみがある場合でさえも、層間の電圧は非常に高くなるということを意味する。
【００７０】
二次ボビンの上にワイヤを巻き取る場合、ワイヤが意図した層内ではなくその下の層内に偶然にも位置するということが起こり得る。次に、ワイヤは、スロット内のさらに深くに位置する層における巻線の巻きと接触することになる。これらの巻線の巻きに対する電圧差はフラッシュオーバーが発生するほど大きくあり得る。
【００７１】
さらに、スロットを有する通常の二次巻線の小さい静電容量でさえも、所望の高周波数での作動には小さすぎる共振周波数をもたらし得る。
【００７２】
図６は、本発明の例証的な実施形態によるボビンアセンブリを生成する方法の流れ図の概略図を示している。
【００７３】
当該方法の第１のステップとして、第１の開口部１００−５を含む第１のビルディングブロック１００を提供し、さらに、第１の開口部１００−５を通して第１のビルディングブロック１００内にワイヤを導くステップＳ１を行うことができる。言い換えると、ワイヤは、第１の開口部を介して下の巻取スロット内に導かれる。次に、この下の巻取スロットは、巻線の巻きで満たされる。
【００７４】
当該方法の第２のステップとして、第１の開口部１００−５よりも大きい第２の開口部１００−６を含む第２のビルディングブロック１００を提供し、さらに、第２の開口部１００−６を通して第２のビルディングブロック１００内にワイヤを導くステップＳ２が行われる。ワイヤは、開口部を介して隣接する分離スロット内に導かれる。
【００７５】
当該方法の第３のステップとして、第１及び第２のビルディングブロック１００を使用して、複数の巻取スロット１０００−４及び複数の分離スロット１０００−５を含む二次巻線のボビンアセンブリ１０００−３を組み立てるステップＳ３が行われる。
【００７６】
当該方法のステップは、ボビンアセンブリのモジュールの作製のために繰り返されてもよい。
【００７７】
図７は、本発明の例証的な実施形態による医用イメージングシステムの概略図を示している。医用イメージングシステム５００は、二次巻線のボビンアセンブリ１０００−３を有した少なくとも１つの誘導電気要素４００を含んでもよい。
【００７８】
本発明の実施形態は、異なる発明特定事項を参考にして記載されるということに留意しなくてはならない。特に、一部の実施形態は、方法のタイプの請求項を参考にして記載され、他の実施形態は、装置のタイプの請求項を参考にして記載される。
【００７９】
しかし、当業者は、通知されない限り、上記の記載から、１つのタイプの発明特定事項に属する特徴のいかなる組み合わせにも加えて、異なる発明特定事項に関する特徴間のいかなる組み合わせも、本願を用いて開示されていると考慮されるということを推測することになる。
【００８０】
しかし、全特徴を組み合わせて、これらの特徴の単なる合計以上の共同作用効果を提供することができる。
【００８１】
本発明は、図面及び上記の説明において詳細に例示及び記述されてきたけれども、そのような例示及び記述は、例示的又は例証的であり、拘束性はないと考慮されることになる。本発明は、開示された実施形態に限定されない。開示された実施形態に対する他の変化は、請求された発明を実行する際に、図面、明細書、及び付随の特許請求の範囲の調査から当業者により理解する及びもたらすことができる。
【００８２】
特許請求の範囲において、「含む」という用語は、他の要素又はステップを除外せず、不定冠詞はその複数形を除外しない。特許請求の範囲におけるいかなる参照番号も、その範囲を限定するとして考慮されるべきではない。
【図１】
0006405453.tif 000002
【図２】
0006405453.tif 000003
【図３】
0006405453.tif 000004
【図４】
0006405453.tif 000005
【図５】
0006405453.tif 000006
【図６】
0006405453.tif 000007
【図７】
0006405453.tif 000008